(57)【要約】【課題】伸縮性の無い生地からなる裏地を備えたスーツなどの上着は、体を動かす際に抵抗感や違和感を生じることがあるので、この問題を上着の体裁の悪化、商品価値の低下、コストアップなどを招かない方法で解消することを課題としている。【解決手段】背裏５ａと裏細腹５ｂの脇下での相互継ぎつなぎ部に対して背裏５ａと裏細腹５ｂが互いに離反する方向への開き代を付与するプリーツ１０を、裏地５と表地２の間に入り込ませて裏地５に設けた。そのプリーツ１０は、裏細腹５ｂの後ろ身頃側の縁部に形成してもよい。【選択図】図２
2012021237.tif 000002
【特許請求の範囲】
【請求項１】
伸縮性の無い生地で構成される裏地（５）を有し、その裏地に、背裏（５ａ）と裏細腹（５ｂ）が含まれ、その背裏（５ａ）と裏細腹（５ｂ）の脇下での相互継ぎつなぎ部に対して背裏（５ａ）と裏細腹（５ｂ）が互いに離反する方向への開き代を付与するプリーツ（１０）を前記裏地（５）に設け、そのプリーツ（１０）を裏地（５）と表地（２）とで覆い隠した、裏地を有する上着。
【請求項２】
伸縮性の無い生地で構成される裏細腹（５ｂ）を有し、その裏細腹（５ｂ）に対して当該裏細腹（５ｂ）が後ろ身頃（２ｂ）から離反する方向への開き代を付与するプリーツ（１０）を、脇下において前記裏細腹（５ｂ）に設け、そのプリーツ（１０）を裏細腹（５ｂ）と表地（２）とで覆い隠した、裏地を有する上着。
【請求項３】
前記プリーツ（１０）を、前記背裏（５ａ）と裏細腹（５ｂ）の相互継ぎつなぎ部に対応させて形成した突片（５ｅ、５ｆ）のどちらか一方（例えば５ｅ）をその一方の突片の突出方向とは反対方向、かつ、表地（２）と当該突片（５ｅ）を有する側の裏地との間に入り込む方向に折り込み、その突片（５ｅ）の突端の縁と他方の突片（５ｆ）の突端の縁を互いに縫い合わせて作った請求項１に記載の裏地を有する上着。
【請求項４】
前記背裏（５ａ）の背幅方向中央部にも、裏地に対して背幅方向への開き代を付与するプリーツ（１１）を設けた請求項１又は３に記載の裏地を有する上着。
【発明の詳細な説明】
【技術分野】
【０００１】
この発明は、伸縮性の無い裏地を有する上着、詳しくは、裏地による着用者の動作の妨げを、体裁の悪化や商品価値の低下などを招かない方法で緩和して着用感（所謂着心地）を向上させた上着に関する。
【背景技術】
【０００２】
スーツなどの上着は、表地については、通常、ストレッチ織物が使用される。従って、裏地の無い上着については、サイズが小さすぎる場合は別として、着用した人の動きが妨げられることはまずない。
【０００３】
これに対し、スーツなどの上着に必要に応じて設けられる裏地は、伸縮性の無い生地を用いるのが一般的であり、その伸縮性の無い生地で構成された裏地は、体型に合致した上着である場合には特に、それを着用した人の自由な動きを妨げる。
【０００４】
下記特許文献１は、その問題の対策として、体の動きが大きくなる肩部、肘部、膝部などに対応した箇所に、伸縮性生地からなる裏地を採用することを提案している。
【先行技術文献】
【特許文献】
【０００５】
【特許文献１】実用新案登録第３１５５７０４号公報
【発明の概要】
【発明が解決しようとする課題】
【０００６】
上記伸縮性生地は、伸縮量に限りがある。ゴムに比べると伸び量が小さく（織りの構造上の理由による）、そのために、特許文献１が開示しているスーツは、体の大きな動きに対しては抵抗感や違和感を生じることが懸念される。
【０００７】
また、裏地の一部を、本来の裏地とは風合いや織りの構造などが異なる伸縮性生地に置き換えると、上着の裏面の体裁が悪くなり、エレガントを売りにした高級なスーツなどもカジュアルな印象を与えるものになって商品価値が低下する。
【０００８】
また、本来の裏地に別パーツを継ぎ足す形になるので、製品コストにも悪影響がでる。
【０００９】
この発明は、上記の問題を、上着の体裁の悪化、商品価値の低下、コストアップなどを招かない方法で解消してスーツを初めとした各種裏地付き上着の着用感を向上させることを課題としている。
【課題を解決するための手段】
【００１０】
上記の課題を解決するため、この発明は、伸縮性の無い生地で構成された裏地を有する上着の裏地にプリーツ（襞）を設けた。具体的には、背裏（後ろ身裏地）と裏細腹（細腹裏地）の脇下での相互継ぎつなぎ部に対して背裏と裏細腹が互いに離反する方向への開き代を付与するプリーツを裏地に設け、そのプリーツを裏地と表地の間に入り込ませて裏地と表地とで覆い隠した。
【００１１】
また、後ろ身裏地の無い上着にも対応可能な構造として、伸縮性の無い生地で構成される裏腹を有し、その裏細腹に対して当該裏細腹が後ろ身頃から離反する方向への開き代を付与するプリーツを、脇下において前記裏細腹に設け、そのプリーツを裏地と表地の間に入り込ませて裏地と表地とで覆い隠した。
【００１２】
なお、背裏と裏細腹の継ぎつなぎ部に設ける前者のプリーツは、背裏と裏細腹の相互継ぎつなぎ部に対応させて形成した突片のどちらか一方をその一方の突片の突出方向とは反対方向、かつ、表地と当該突片を有する側の裏地との間に入り込む方向に折り込み、その突片の突端の縁と他方の突片の突端の縁を互いに縫い合わせて作ると好ましい。
【００１３】
背裏が存在する上着では、背裏の背幅方向中央部にも、裏地に対して背幅方向への開き代を付与するプリーツを設けることができる。
【００１４】
前記プリーツは、襞の幅が全域においてほぼ一定しているもの、袖の付け根に近い側と袖の付け根から離反側で襞の幅が変化しているもののどちらであってもよい。
【発明の効果】
【００１５】
この発明の上着は、裏地の袖のつけ根に対応した箇所にプリーツを設けており、そのプリーツによって裏地の寸法にゆとりが付与される。上着の着用者が腕を持ち上げたときにプリーツが開き、プリーツに対応した位置で裏細腹の胴回り方向の幅が広がって裏地が伸びたのと実質的に差のない状態が作り出される。
【００１６】
これにより、着用者の腕、肩の動きに対して抵抗感、違和感が発生せず、上着の着用感が良くなる。ゴムやゴム編み生地と違ってプリーツが開くときの抵抗感、突っ張り感は全くなく、体型にフィットした上着も着用者の動きに窮屈な感じを与えることがない。
【００１７】
また、上記プリーツは、裏地の一部を折り込んで裏地と表地の間に入り込ませているので、上着の体裁の悪化も起こらない。そのプリーツが裏地と表地によって覆い隠されるため、プリーツがあることにも気づき難く、高級感や商品価値の低下が起こらない。
【００１８】
さらに、別パーツを継ぎ足すわけではないので、製品コストの上昇も招かない。
【図面の簡単な説明】
【００１９】
【図１】この発明の上着の一例を示す正面図
【図２】図１の上着の裏地の一部を展開して示す図
【図３】図１の上着に設けた背裏と裏細腹の展開図
【図４】（ａ）背裏と裏細腹の初期の縫い合わせ手順の説明図、（ｂ）縫い代のずれを補正した状態を示す図、（ｃ）裏細腹の縫い合わせ終了図
【図５】背裏と裏細腹のプリーツ形成部の縫い合わせ手順の説明図
【図６】背裏と裏細腹の縫い合わせ部の要部を示す図
【図７】プリーツが閉じた状態と開いた状態を比較して示す図
【図８】図５のVIII−VIII線に沿った位置の断面図
【図９】プリーツを裏細腹に形成した例の裏側の要部を示す展開図
【図１０】図９のＸ−Ｘ線に沿った断面図
【図１１】（ａ）〜（ｄ）図９の裏細腹のプリーツ形成部の縫い合わせ手順の説明図
【図１２】図１１の裏細腹の突片折込み後の状態を裏から見た図
【発明を実施するための形態】
【００２０】
以下、添付図面の図１〜図１２に基づいてこの発明の上着の実施の形態を説明する。
【００２１】
図１は、男性用スーツ（背広）の上着を示している。図中１は上着、２は表地、２ａは表地の前身頃、３は袖、４は襟、５は裏地、６はサイドポケット、７は胸ポケットである。例示の上着の表側は、従来品と同様の構成であり、前身頃２ａ、袖３、襟４については、表地が図に表れている。
【００２２】
この発明の特徴部は、図２に示した裏地５にある。その裏地５は、背裏（背裏地）５ａ、裏細腹（細腹裏地）５ｂ、胴裏（胴裏地）５ｃ、及び袖裏（袖裏地）５ｄ（図６参照）を縫い合わせによって継ぎつないで構成されている。裏地の各部位は、いずれも伸縮性の無い生地からなる。図２の８は、表地と同一生地で形成される身返し、図２の９は必要に応じて設けられる脇当てである。脇当９は、袖裏５ｄに予め連接しておくと設置がしやすい。
【００２３】
背裏５ａは、対をなす左右のパーツを背の中央で継ぎつないで構成されており、その背裏５ａと裏細腹５ｂが、袖３の付け根で継ぎつながれる部位（着用者の脇に対応した位置）に、プリーツ１０を設けている。
【００２４】
そのプリーツ１０は、背裏５ａの裏細腹５ｂへの継ぎつなぎ側に突片５ｅ（図３参照）を形成し、その突片５ｅを裏細腹５ｂから離れる方向に折り込み、突片５ｅの突端の縁をその縁と重なるように背裏５ａ側に入り込ませた裏細腹５ｂの突片５ｆの縁と縫い合せて構成されている。
【００２５】
図４（ａ）に示すように、裏細腹５ｂを反転させて背裏５ａの上に置き（背裏５ａを反転させて裏細腹５ｂの上に置くことも可）、上着の裾の側を優先させて両裏地の縫い代１２を重ねる。そして、裾の側から縫い代１２のきっちりと重なっている部分を縫い合わせる（１３がその位置の縫い目）。その縫合は、次に縫い合わせる箇所の縫い代の位置がずれている場合には、図４（ｂ）に示すように、そのずれを補正しながら補正箇所の縫い代部を縫い合わせる。
【００２６】
図４（ｃ）に示すように、背裏５ａと裏細腹５ｂに対応させて形成された突片５ｅ，５ｆの重ね縁（縫い代）までを縫い合わせたら、反転している裏細腹５ｂを元に戻し、突片５ｅを縫い目１３の延長上（一点鎖線上）に折り目線ができるように折り込む。
【００２７】
そして、図５に示すように、突片５ｅ、５ｆの互いに重なり合った縁の生地の袖側裁断縁近辺を縫い合わせる（１４がその位置の縫い目）。これにより、突片５ｅが裏地の背面側に折り込まれて所望のプリーツ１０が脇下に形成される。
【００２８】
図示のプリーツ１０は、幅ｗがほぼ一定したものになっているが、突片５ｅ、５ｆを、袖３の付け根に近い側から付け根から遠ざかる側に向って幅が次第に減少する形状にしてその両者の突端を縫い合わせてもよい。
【００２９】
その場合には、袖の付け根に近い側で襞の幅が大きく、袖の付け根から離れるに従ってその襞の幅が減少するプリーツが形成され、そのようなプリーツでも発明の目的が達成される。
【００３０】
袖３の付け根側にプリーツ１０を形成した裏地５は、袖側の縫い代が袖裏５ｄと一緒に袖３の取付け部に縫いつけられる。このときの縫製は、図６に示すように、背裏５ａと裏細腹５ｂの裁断縁が袖裏５ｄによって包み隠されるように行われる。
【００３１】
なお、例示の裏地５には、背裏５ａの左右のパーツの縫い合わせ部にもプリーツ１１を設けている。そのプリーツ１１は、必要に応じて設けるものであって、この発明を特徴づけるものではない。ちなみに、このプリーツ１１もプリーツ１０と同様の方法で形成することができる。
【００３２】
以上のように構成した裏地５は、袖３に近い位置で背裏５ａと裏細腹５ｂを互いに離反する方向に引っ張ると、図７に鎖線で示すように、プリーツ１０が開く。そのために、袖３の付け根付近における裏地の幅が広がり、上着着用者の動きに抵抗感が生じない。折りたたみ状態でのプリーツ幅ｗを約２０ｍｍ、展開時幅（２・ｗ）を４０ｍｍにした試作品の上着は着用感がすこぶる良かった。
【００３３】
なお、プリーツ１０は、裏細腹５ｂの突片５ｆを裏細腹５ｂ側に折り込み、その突片５ｆの縁と、突片５ｆに重ねた背裏５ａの突片５ｅの縁を互いに縫い合わせて構成してもよい。
【００３４】
また、スーツの上着には、所謂総裏の無いものがある。その上着も、裏細腹にプリーツを形成することで、発明の目的が達成される。
【００３５】
その上着の具体例を、図９〜図１２に基づいて説明する。図９に示すように、背裏は、観音背裏５ａ−１とベント部裏地５ａ−２しかなく、これ等は裏細腹５ｂに縫いつながれない。このような上着では、裏細腹（これも伸縮性の無い生地からなる）５ｂの背側の端縁が、表地２の継ぎつなぎ部に縫い合わされる。
【００３６】
図９の８は見返し、２ｂは、表地の後ろ身頃であり、その後ろ身頃２ｂと細腹身頃２ｃ（図１０参照）は、縫い目１５の位置で互いに縫い合わされている。
【００３７】
その縫い目１５に沿って裏細腹５ｂの背側の端縁部が、細腹身頃２ｃの縫い代部に縫いつけられており（１６がその部分の縫い目）、その縫い目１６の延長上において、裏細腹５ｂの脇下部位にプリーツ１０を設けている。
【００３８】
その図９のプリーツ１０は、図１１に示すように、裏細腹５ｂの突片５ｆ｛図１１（ａ）参照。これは、図３の突片に比べて２倍強の幅を有する｝を、先ず、折り目２０に沿って折り込み｛図１１（ｂ）参照｝、次に、折り目１９に沿って折り戻し｛図１１（ｃ）参照｝、折り目１９に沿った縁にミシンがけする｛図１１（ｄ）参照｝。
【００３９】
そして、さらに、２度折りした突片５ｆの一部（表地に縫い合わされない箇所）を図１２に示す縫い目１８の位置で互いに縫い合わせ、突片５ｆの突端の縁（縫い代）を縫い目１７（図１０参照。これは縫い目１６の延長上にある）が形成されるように表地に縫い付ける手順を経て形成されている。
【００４０】
このプリーツ１０も裏細腹５ｂに覆い隠されており、上着の裏側を見ただけではその存在が殆どわからない。このように、プリーツ１０を裏細腹５ｂに形成しても、上着の着用感向上の目的が達成される。
【００４１】
なお、以上の説明は男性用スーツの上着を例に挙げて行ったが、この発明は、裏地のある上着の全てに適用できる。ジャケットやコート、所謂アウターと言ったスーツ以外の着衣の上着にも適用できる。適用対象の上着が女性用であるか男性用であるかも問わない。
【符号の説明】
【００４２】
１          上着
２          表地
２ａ        前身頃
２ｂ        後ろ身頃
２ｃ        細腹身頃
３          袖
４          襟
５          裏地
５ａ        背裏
５ａ−１        観音背裏
５ａ−２        ベント部裏地
５ｂ        裏細腹
５ｃ        胴裏
５ｄ        袖裏
５ｅ，５ｆ  突片
６          サイドポケット
７          胸ポケット
８          身返し
９          脇当て
１０、１１  プリーツ
１２        縫い代
１３〜１８  縫い目
１９，２０  折り目
【図１】
2012021237.tif 000003
【図２】
2012021237.tif 000004
【図３】
2012021237.tif 000005
【図４】
2012021237.tif 000006
【図５】
2012021237.tif 000007
【図６】
2012021237.tif 000008
【図７】
2012021237.tif 000009
【図８】
2012021237.tif 000010
【図９】
2012021237.tif 000011
【図１０】
2012021237.tif 000012
【図１１】
2012021237.tif 000013
【図１２】
2012021237.tif 000014